(57)【要約】      （修正有）【課題】開脚防止及び骨盤矯正具であって、左右が独立した矯正具を、大腿部外側底面に差込み使用することで開脚を防止し、更に骨盤を矯正する矯正具を提供すること。【解決手段】開脚防止及び骨盤矯正具であって、外縁が高く内縁が低くなるように設計した、左右が独立した矯正具１１、１２を、左右坐骨から膝関節の間、大腿部外側底面に差込み使用する。矯正具により支持された大腿部は回外が防がれ開脚が防止される。さらに大腿部が骨盤を牽引し骨盤を矯正するものである。本矯正具は、袋、充填材、充填材投入口、紛失防止具で構成される。袋は繊維、ゴム、皮革などで製作する。袋の中に入れる充填材を選択することで、物理的性質などを変化させることができる。更に充填材の粒度分布の変更や充填率の変更で、充填材は袋の中を移動し座面の形状を３次元で変化させる。これによりさまざまな体形や症状に対応することができる矯正具である。【選択図】図１
2008220894.tif 000002
【特許請求の範囲】
【請求項１】
開脚防止及び骨盤矯正具であって、外縁が高く内縁が低くなるように設計した左右が独立した矯正具を、膝を締めた状態で左右坐骨から膝関節の間、大腿部外側底面に差込み使用する。矯正具により連続した面で支持された大腿部は回外が防がれることで開脚を防止する。合わせて大腿部が骨盤を牽引し骨盤を内側に矯正するものである。
【請求項２】
本矯正具は、袋、充填材、充填材投入口、紛失防止具で構成される。袋は天然繊維、合成繊維、天然ゴム、合成ゴム、合成樹脂、皮革などで製作する。袋の中に入れる充填材は、熱可塑及び熱硬化性樹脂、シリコーン樹脂、天然及び合成ゴム、陶磁器、ガラス、石材、金属、木材、植物の種子、活性炭などの粉体、粒体、中空体、発泡体などの素材を単体又は配合することで物理的性質を変化させることができる。更に充填材の粒度分布の変更や充填率を２０〜９５％の範囲で適宜増減し袋に充填することで、充填材は袋の中を移動し座面の形状を３次元で変化させることができる。さらに充填材と充填材の空間により空気が流通し蒸れを防ぐ。これらによりさまざまな体形や症状に柔軟に対することのできる開脚防止及び骨盤矯正具である。
【請求項３】
本矯正具は、携帯し使用することを考慮し左右が独立した矯正具に、それぞれ紛失防止具を有する。紛失防止具は、矯正具本体につながれた紐とクリップで構成され、紐につながれたクリップを衣服に留めることで紛失を防止する。
【発明の詳細な説明】
【技術分野】
【０００１】本発明は、左右坐骨から膝関節の間、大腿部外側底面に差込み使用する開脚防止及び骨盤矯正具に関する。
【背景技術】
【０００２】従来、開脚防止及び骨盤矯正具は、左右が独立した矯正具を、左右坐骨から膝関節の間、大腿部外側底面に差込み３次元形状で連続支持し、開脚防止及び骨盤矯正するものではなかった。（例えば、特許文献１参照）【０００３】従来、開脚防止及び骨盤矯正具は応力が集中し快適に使用出来るものではなかった。（例えば、特許文献２参照）【０００４】なお、本願発明に関する公知技術として次の特許文献１、特許文献２、を挙げることができる。
【特許文献１】特許公開２００５−１７９８１６公報（６頁、図６）
【特許文献２】特許公開２００１−６４８１５公報（５頁、図６）
【発明の開示】
【発明が解決しようとする課題】
【０００５】上述の如く、従来技術に関わる開脚防止及び骨盤矯正具は、矯正具による締め付けで血行不良や矯正具との点や線接触による応力集中で、不快感や痛みの生じずるものであった。更に足が拘束され、とっさの行動で転倒などの危険もあった。
【課題を解決するための手段】
【０００６】本発明は、上記問題点を解決することを目的とし、左右が独立した矯正具で構成し足を拘束しない。矯正具の形状は外縁が高く内縁が低くなるよう設計し、膝を締めた状態で左右坐骨から膝関節の間、大腿部外側底面に矯正具を差込み使用することで、開脚を防止し骨盤を矯正することを特徴とする。【０００７】本発明は、矯正具の充填材の充填率を２０〜９５％の範囲で適宜増減することで、矯正具の３次元形状を自由に変化させられることを特徴とする。【０００８】本発明は、充填材の素材を選択し単独または配合して使用することで、物理的性質などを自由に変化させられることを特徴とする。【０００９】本発明は、矯正具の紛失防止具を有する。
【発明の効果】
【００１０】以上説明したように本発明によれば、左右が独立した外縁が高く内縁が低くい矯正具を、膝を締めた状態で坐骨から膝関節の間、大腿部外側底面に差込み使用することで、大腿部の回外が防がれる。これにより開脚は容易に防がれ、さらに大腿部が骨盤を牽引することで、骨盤を内側に矯正することを特徴とする。【００１１】本発明は、充填材の素材変更、充填材の粒度分布の変更、充填材の素材を単体または複数配合し使用することで、矯正具の重量、表面硬さ、伸び、弾性率、熱伝導率、保温性、通気性等を変化させることができる。これにより様々な病気やケガの症状に柔軟に対応し血行不良や不快感、痛みの発生、蒸れなどを回避し、安全で快適な開脚防止及び骨盤矯正具に極めて有効である。【００１２】本発明は、充填材の充填率を２０〜９５％の範囲で適宜増減することで、矯正具の形状を３次元で自由に変化させることができる。身体と矯正具が３次元形状で接触することで集中荷重を防ぎ、さらに様々な体形に対応し、安全で快適な開脚防止及び骨盤矯正具に極めて有効である。【００１３】本発明は、快適に使用できるので、使用を忘れ紛失する恐れがあるので、紛失防止具を有する。紛失防止具は、本体に接続された紐とクリップから成りクリップを衣服に留めることで、衣服と連結し紛失を防止する。
【発明を実施するための最良の形態】
【００１４】以下、本発明の実施の形態を図面に基づき詳細に説明する。【００１５】図１は本発明の実施の形態に係り、本発明の開脚防止及び骨盤矯正具の概観図及び断面図である。図２は、本発明の矯正具を座位で使用し後方から見た外観図である。
図３は、本発明の矯正具を座位で使用し右側面から見た外観図である。図４は、本発明の矯正具を座位で使用し前方から見た足の外観図である。図５は、本発明の矯正具の充填材投入口の概観図である。【００１６】図１に示すように、本矯正具は、１１の矯正具左用と１２の矯正具右用、一対で使用する。【００１７】図１に示すように、本矯正具１１、１２は上面と下面を１９の４本のステッチ及び外周で縫合し袋状にする。【００１８】図１に示すように、本矯正具１１、１２には２０に充填材投入口を設け、投入口から充填材を出し入れする。充填材は１９の縫合されたステッチにより内側はふくらみが制限され１５、１６のように外縁が高く内縁が低くなる形状ができる。【００１９】図１に示すように、本矯正具１１、１２には紛失防止具を有する。紛失防止具は、１７の矯正具に接続した紐と１８のクリップから成り、矯正具を使用するとき紛失防止具のクリップを衣服に留めることで、衣服と連結し紛失を防止する。【００２０】図２〜３に示すように、本矯正具２１、２２、２３は左右坐骨から膝関節の間、大腿部外側底面に差込み使用することで、左右の大腿部は回内し開脚は容易に防がれる。さらに大腿部は骨盤を内側に牽引することで骨盤を内側に矯正する。【００２１】図４に示すように、２６、２７は本矯正具装着時の左右の膝の位置である。２４、２５は開脚時の左右の膝の位置である。２８、２９は左右足の位置である。２４、２５の開脚の状態が、本矯正具装着により２６、２７の位置になることで、左右の大腿部は回内し開脚は容易に防がれる。さらに大腿部は骨盤を内側に牽引することで骨盤を内側に矯正する。【００２２】図５に示すように、３０は本矯正具の充填材投入口で充填材の出し入れに使う。
投入口は、筒状にした布を矯正具に縫い付け、矯正具使用時は筒状の部分を矯正具本体に丸めて収納する。充填材を出し入れする場合は矯正具本体から引き出して使用する。投入口は、ファスナーやマジックテープなどを取り付け開閉できる。
【産業上の利用可能性】
【００２３】本発明は、開脚防止及び骨盤矯正具として有用な成形品を設計、製造、販売する産業分野で利用することができる。
【図面の簡単な説明】
【００２４】
【図１】本発明の開脚防止及び骨盤矯正具の概観図及び断面図である。
【図２】本発明の矯正具を座位で使用し後方から見た外観図である。
【図３】本発明の矯正具を座位で使用し右側面から見た外観図である。
【図４】本発明の矯正具を座位で使用し前方から見た足の外観図である。
【図５】本発明の矯正具の充填材投入口の概観図である。
【符号の説明】
【００２５】１１  矯正具左用を上部から見た図
１２  矯正具右用を上部から見た図
１３  矯正具の中心線Ａ
１４  左右坐骨から膝関節の間支持面の断面線Ａ
１５  左坐骨から膝関節の間の支持面の断面線Ａの断面図
１６  右坐骨から膝関節の間の支持面の断面線Ａの断面図
１７  紛失防止具の紐
１８  紛失防止具のクリップ
１９  矯正具上部と下部を縫合するステッチの位置
２０  充填材投入口の位置
２１  左矯正具装着時の後方から見た外観図
２２  右矯正具装着時の後方から見た外観図
２３  右矯正具装着時の右側面から見た外観図
２４  開脚時の右膝の位置
２５  開脚時の左膝の位置
２６  矯正具装着時の右膝の位置
２７  矯正具装着時の左膝の位置
２８  右足の位置
２９  左足の位置
３０  矯正具の充填材投入口を引き出した状態
【図１】
2008220894.tif 000003
【図２】
2008220894.tif 000004
【図３】
2008220894.tif 000005
【図４】
2008220894.tif 000006
【図５】
2008220894.tif 000007